(57)【特許請求の範囲】
【請求項１】
２ユーザの一方に使用される電話系コミュニケーション端末および非電話系コミュニケーション端末に通信回線を介して接続され、かつ、他方のユーザに使用される電話系コミュニケーション端末および非電話系コミュニケーション端末に通信回線を介して接続される非電話系コミュニケーションメディア転送装置に対し、通信網を介して接続される非電話系コミュニケーションメディア転送装置であって、
前記一方の電話系コミュニケーション端末の電話系コミュニケーション端末ＩＤと前記電話系コミュニケーション端末同士で共有する呼接続情報とが対応づけて記憶される呼接続情報データベースと、
前記一方の電話系コミュニケーション端末の電話系コミュニケーション端末ＩＤと前記一方の非電話系コミュニケーション端末の非電話系コミュニケーション端末ＩＤとが対応づけて記憶されるユーザ管理データベースと、
前記一方の非電話系コミュニケーション端末から送信される前記一方の電話系コミュニケーション端末の電話系コミュニケーション端末ＩＤに対応づけられた呼接続情報を呼接続情報データベースから読み出し、当該電話系コミュニケーション端末ＩＤに対応づけられた非電話系コミュニケーション端末ＩＤをユーザ管理データベースから読み出し、一方、前記他方の非電話系コミュニケーションメディア転送装置から送信される呼接続情報に対応づけられた電話系コミュニケーション端末ＩＤを呼接続情報データベースから読み出し、当該電話系コミュニケーション端末ＩＤに対応づけられた非電話系コミュニケーション端末ＩＤをユーザ管理データベースから読み出す連携制御部と、
前記読み出された呼接続情報を前記他方の非電話系コミュニケーションメディア転送装置に送信する呼制御部と、
前記読み出された非電話系コミュニケーション端末ＩＤを記憶し、前記他方の非電話系コミュニケーションメディア転送装置から送信されたメディアを当該非電話系コミュニケーション端末ＩＤの非電話系コミュニケーション端末に送信し、一方、当該非電話系コミュニケーション端末から送信されたメディアを前記他方の非電話系コミュニケーションメディア転送装置に送信するメディア送受信部と
を備えることを特徴とする非電話系コミュニケーションメディア転送装置。
【請求項２】
２ユーザの一方に使用される電話系コミュニケーション端末および非電話系コミュニケーション端末に通信回線を介して接続された非電話系コミュニケーションメディア転送装置と、他方のユーザに使用される電話系コミュニケーション端末および非電話系コミュニケーション端末に通信回線を介して接続される非電話系コミュニケーションメディア転送装置とが、通信網を介して接続されている状態で実行される非電話系コミュニケーションメディア転送方法であって、
前記一方の非電話系コミュニケーションメディア転送装置は、前記一方の電話系コミュニケーション端末の電話系コミュニケーション端末ＩＤと前記電話系コミュニケーション端末同士で共有する呼接続情報とが対応づけて記憶される呼接続情報データベースと、前記一方の電話系コミュニケーション端末の電話系コミュニケーション端末ＩＤと前記一方の非電話系コミュニケーション端末の非電話系コミュニケーション端末ＩＤとが対応づけて記憶されるユーザ管理データベースとを備え、
前記他方の非電話系コミュニケーションメディア転送装置は、前記他方の電話系コミュニケーション端末の電話系コミュニケーション端末ＩＤと前記電話系コミュニケーション端末同士で共有する呼接続情報とが対応づけて記憶される呼接続情報データベースと、前記他方の電話系コミュニケーション端末の電話系コミュニケーション端末ＩＤと前記他方の非電話系コミュニケーション端末の非電話系コミュニケーション端末ＩＤとが対応づけて記憶されるユーザ管理データベースとを備え、
前記非電話系コミュニケーションメディア転送方法は、
前記一方の非電話系コミュニケーションメディア転送装置の連携制御部が、前記一方の非電話系コミュニケーション端末から送信される前記一方の電話系コミュニケーション端末の電話系コミュニケーション端末ＩＤに対応づけられた呼接続情報を呼接続情報データベースから読み出し、当該電話系コミュニケーション端末ＩＤに対応づけられた非電話系コミュニケーション端末ＩＤをユーザ管理データベースから読み出す工程と、
前記一方の非電話系コミュニケーションメディア転送装置の呼制御部が、前記読み出された呼接続情報を前記他方の非電話系コミュニケーションメディア転送装置に送信する工程と、
前記一方の非電話系コミュニケーションメディア転送装置のメディア送受信部が、前記読み出された非電話系コミュニケーション端末ＩＤを記憶する工程と、
前記他方の非電話系コミュニケーションメディア転送装置の連携制御部が、前記送信された呼接続情報に対応づけられた電話系コミュニケーション端末ＩＤを呼接続情報データベースから読み出し、当該電話系コミュニケーション端末ＩＤに対応づけられた非電話系コミュニケーション端末ＩＤをユーザ管理データベースから読み出す工程と、
前記他方の非電話系コミュニケーションメディア転送装置のメディア送受信部が、前記読み出された非電話系コミュニケーション端末ＩＤを記憶する工程と、
前記一方の非電話系コミュニケーションメディア転送装置のメディア送受信部が、前記一方の非電話系コミュニケーション端末から送信されたメディアを前記他方の非電話系コミュニケーションメディア転送装置に送信する工程と、
前記他方の非電話系コミュニケーションメディア転送装置のメディア送受信部が、当該メディアを当該メディア送受信部に記憶した非電話系コミュニケーション端末ＩＤの非電話系コミュニケーション端末に送信する工程と、
前記他方の非電話系コミュニケーションメディア転送装置のメディア送受信部が、前記他方の非電話系コミュニケーション端末から送信されたメディアを前記一方の非電話系コミュニケーションメディア転送装置に送信する工程と、
前記一方の非電話系コミュニケーションメディア転送装置のメディア送受信部が、当該メディアを当該メディア送受信部に記憶した非電話系コミュニケーション端末ＩＤの非電話系コミュニケーション端末に送信する工程と
を備えることを特徴とする非電話系コミュニケーションメディア転送方法。
【発明の詳細な説明】
【技術分野】
【０００１】
本発明は、非電話系コミュニケーションメディア転送装置および非電話系コミュニケーションメディア転送方法に関するものである。
【背景技術】
【０００２】
従来、企業には、オフィス電話システム（ボタン電話システムや構内交換装置）が導入され、音声、もしくは、音声＋映像メディアによるコミュニケーションツールとして利用されてきた。
【０００３】
その一方で、文字メッセージを交換できるインスタントメッセンジャー（ＩＭ）や、手書きの文字や描画を共有できるホワイトボード共有アプリケーションといった、データメディアによる電話以外のコミュニケーションツール（非電話系コミュニケーションツール）が出現し、利用者が増加してきている。
【０００４】
上記の非電話系コミュニケーションツールは、ツール独自のログインＩＤやツールのＩＰアドレスといった識別情報を使って相手を特定し、インターネットを介して通信を行う方式を採用しているものがほとんどである。
【０００５】
したがって、電話による通話中に、双方の意思疎通をより深めようという意図で非電話系コミュニケーションツールも利用する場合、上記の識別情報をアドレス帳で検索したり、通話相手に口頭で教えてもらったりした上でインターネットを介して接続するという煩わしい手順を踏まなければならない。
【０００６】
上記の手間を解消する方法として、音声電話機能やテレビ電話機能だけでなく、インターネット接続機能、および、ＩＭ機能やホワイトボード共有機能等の非電話系コミュニケーション機能を搭載した専用端末（フレッツフォンＶＰ２０００等）を利用する方法が考えられる。
【０００７】
また、音声、映像メディアだけでなく、データメディアも送受信できるようになったＮＴＴのひかり電話を介して、音声電話やテレビ電話に加え、非電話系コミュニケーションもできる専用ＳＩＰ端末を利用する方法が考えられる。
【０００８】
上記の手間を解消する別の方法として、既存の電話システムと既存の非電話系コミュニケーションツールをベースに、電話番号と非電話系コミュニケーションツールの識別情報を対応付けて登録する手段を設け、通話相手の発番号から、通話相手が使用する非電話系コミュニケーションツールの識別情報を特定する手法が提案されている（特許文献１）。
【先行技術文献】
【特許文献】
【０００９】
【特許文献１】特開２００９−３０２８６８号公報
【発明の概要】
【発明が解決しようとする課題】
【００１０】
専用端末を利用する方法については、そもそも市場に提供されている製品が少なく、今後増えてきたとしても、既存電話機の更改等の導入コストがかかってしまうという課題がある。
【００１１】
一方、特許文献１の手法については、自身の電話番号と非電話系コミュニケーションツールの識別情報を、通話相手の電話システム、もしくは、通信網に設置されたサーバに登録する必要があり、プライバシーの確保、及び、実用化が難しいという課題がある。
【００１２】
また、オフィス電話システムにおいては、電話回線を複数人で共用するケースが大半であるため、発番号から個々人の非電話系コミュニケーションツールの識別子を特定できない場合があるという課題がある。
【００１３】
本発明は、上記の課題に鑑みてなされたものであり、その目的とするところは、通話相手の非電話系コミュニケーションツールに対応する識別情報を特定する手間が解消でき、また、自身の非電話系コミュニケーションツールに対応する識別情報というプライベート情報を外部に保存せず、よって、プライバシーを確保でき、外部にサーバを設置する必要がなく、非電話系コミュニケーションツールを特定する際には相手の発番号を利用せず、よって、電話回線を複数人で共用することが多い環境にも適用できる非電話系コミュニケーションメディア転送装置および非電話系コミュニケーションメディア転送方法を提供することにある。
【課題を解決するための手段】
【００１４】
上記の課題を解決するために、第１の本発明は、２ユーザの一方に使用される電話系コミュニケーション端末および非電話系コミュニケーション端末に通信回線を介して接続され、かつ、他方のユーザに使用される電話系コミュニケーション端末および非電話系コミュニケーション端末に通信回線を介して接続される非電話系コミュニケーションメディア転送装置に対し、通信網を介して接続される非電話系コミュニケーションメディア転送装置であって、前記一方の電話系コミュニケーション端末の電話系コミュニケーション端末ＩＤと前記電話系コミュニケーション端末同士で共有する呼接続情報とが対応づけて記憶される呼接続情報データベースと、前記一方の電話系コミュニケーション端末の電話系コミュニケーション端末ＩＤと前記一方の非電話系コミュニケーション端末の非電話系コミュニケーション端末ＩＤとが対応づけて記憶されるユーザ管理データベースと、前記一方の非電話系コミュニケーション端末から送信される前記一方の電話系コミュニケーション端末の電話系コミュニケーション端末ＩＤに対応づけられた呼接続情報を呼接続情報データベースから読み出し、当該電話系コミュニケーション端末ＩＤに対応づけられた非電話系コミュニケーション端末ＩＤをユーザ管理データベースから読み出し、一方、前記他方の非電話系コミュニケーションメディア転送装置から送信される呼接続情報に対応づけられた電話系コミュニケーション端末ＩＤを呼接続情報データベースから読み出し、当該電話系コミュニケーション端末ＩＤに対応づけられた非電話系コミュニケーション端末ＩＤをユーザ管理データベースから読み出す連携制御部と、前記読み出された呼接続情報を前記他方の非電話系コミュニケーションメディア転送装置に送信する呼制御部と、前記読み出された非電話系コミュニケーション端末ＩＤを記憶し、前記他方の非電話系コミュニケーションメディア転送装置から送信されたメディアを当該非電話系コミュニケーション端末ＩＤの非電話系コミュニケーション端末に送信し、一方、当該非電話系コミュニケーション端末から送信されたメディアを前記他方の非電話系コミュニケーションメディア転送装置に送信するメディア送受信部とを備えることを特徴とする非電話系コミュニケーションメディア転送装置をもって解決手段とする。
【００１５】
第２の本発明は、２ユーザの一方に使用される電話系コミュニケーション端末および非電話系コミュニケーション端末に通信回線を介して接続された非電話系コミュニケーションメディア転送装置と、他方のユーザに使用される電話系コミュニケーション端末および非電話系コミュニケーション端末に通信回線を介して接続される非電話系コミュニケーションメディア転送装置とが、通信網を介して接続されている状態で実行される非電話系コミュニケーションメディア転送方法であって、前記一方の非電話系コミュニケーションメディア転送装置は、前記一方の電話系コミュニケーション端末の電話系コミュニケーション端末ＩＤと前記電話系コミュニケーション端末同士で共有する呼接続情報とが対応づけて記憶される呼接続情報データベースと、前記一方の電話系コミュニケーション端末の電話系コミュニケーション端末ＩＤと前記一方の非電話系コミュニケーション端末の非電話系コミュニケーション端末ＩＤとが対応づけて記憶されるユーザ管理データベースとを備え、前記他方の非電話系コミュニケーションメディア転送装置は、前記他方の電話系コミュニケーション端末の電話系コミュニケーション端末ＩＤと前記電話系コミュニケーション端末同士で共有する呼接続情報とが対応づけて記憶される呼接続情報データベースと、前記他方の電話系コミュニケーション端末の電話系コミュニケーション端末ＩＤと前記他方の非電話系コミュニケーション端末の非電話系コミュニケーション端末ＩＤとが対応づけて記憶されるユーザ管理データベースとを備え、前記非電話系コミュニケーションメディア転送方法は、前記一方の非電話系コミュニケーションメディア転送装置の連携制御部が、前記一方の非電話系コミュニケーション端末から送信される前記一方の電話系コミュニケーション端末の電話系コミュニケーション端末ＩＤに対応づけられた呼接続情報を呼接続情報データベースから読み出し、当該電話系コミュニケーション端末ＩＤに対応づけられた非電話系コミュニケーション端末ＩＤをユーザ管理データベースから読み出す工程と、前記一方の非電話系コミュニケーションメディア転送装置の呼制御部が、前記読み出された呼接続情報を前記他方の非電話系コミュニケーションメディア転送装置に送信する工程と、前記一方の非電話系コミュニケーションメディア転送装置のメディア送受信部が、前記読み出された非電話系コミュニケーション端末ＩＤを記憶する工程と、前記他方の非電話系コミュニケーションメディア転送装置の連携制御部が、前記送信された呼接続情報に対応づけられた電話系コミュニケーション端末ＩＤを呼接続情報データベースから読み出し、当該電話系コミュニケーション端末ＩＤに対応づけられた非電話系コミュニケーション端末ＩＤをユーザ管理データベースから読み出す工程と、前記他方の非電話系コミュニケーションメディア転送装置のメディア送受信部が、前記読み出された非電話系コミュニケーション端末ＩＤを記憶する工程と、前記一方の非電話系コミュニケーションメディア転送装置のメディア送受信部が、前記一方の非電話系コミュニケーション端末から送信されたメディアを前記他方の非電話系コミュニケーションメディア転送装置に送信する工程と、前記他方の非電話系コミュニケーションメディア転送装置のメディア送受信部が、当該メディアを当該メディア送受信部に記憶した非電話系コミュニケーション端末ＩＤの非電話系コミュニケーション端末に送信する工程と、前記他方の非電話系コミュニケーションメディア転送装置のメディア送受信部が、前記他方の非電話系コミュニケーション端末から送信されたメディアを前記一方の非電話系コミュニケーションメディア転送装置に送信する工程と、前記一方の非電話系コミュニケーションメディア転送装置のメディア送受信部が、当該メディアを当該メディア送受信部に記憶した非電話系コミュニケーション端末ＩＤの非電話系コミュニケーション端末に送信する工程とを備えることを特徴とする非電話系コミュニケーションメディア転送方法をもって解決手段とする。
【発明の効果】
【００１６】
本発明によれば、通話相手の非電話系コミュニケーションツールに対応する識別情報を特定する手間が解消でき、また、自身の非電話系コミュニケーションツールに対応する識別情報というプライベート情報を外部に保存せず、よって、プライバシーを確保でき、外部にサーバを設置する必要がなく、非電話系コミュニケーションツールを特定する際には相手の発番号を利用せず、呼接続情報を利用するので、電話回線を複数人で共用することが多い環境にも適用できる。
【図面の簡単な説明】
【００１７】
【図１】本実施の形態に係るシステムの構成図である。
【図２】呼接続情報データベース１１の構成図である。
【図３】ユーザ管理データベース１２の構成図である。
【図４】呼接続情報データベース２１の構成図である。
【図５】ユーザ管理データベース２２の構成を示す図である。
【図６】本システムに係る動作を示すシーケンス図の第１図である。
【図７】本システムに係る動作を示すシーケンス図の第２図である。
【図８】本システムに係る動作を示すシーケンス図の第３図である。
【図９】本システムに係る動作を示すシーケンス図の第４図である。
【発明を実施するための形態】
【００１８】
以下、本発明の実施の形態について図面を参照して説明する。
【００１９】
図１は、本実施の形態に係るシステムの構成図である。
【００２０】
システムの主装置１、２は通信網Ｎを介して互いに接続される。
【００２１】
主装置１は、電話機１０１、１０２、…、パーソナルコンピュータ（以下、ＰＣという）１１１、１１２、…に通信回線を介して接続される。
【００２２】
主装置２は、電話機２０１、２０２、…、ＰＣ２１１、２１２、…に通信回線を介して接続される。
【００２３】
各ＰＣは、文字などの非電話系コミュニケーションメディアを送受信する非電話系コミュニケーション部Ａ１、非電話系コミュニケーションメディアを送受信するための制御を行う連携制御部Ａ２を備える。
【００２４】
ユーザＵ１１は、電話機１０１、ＰＣ１１１を使用し、ユーザＵ１２は、電話機１０２、ＰＣ１１２を使用し、つまり、各ユーザが、該当の電話機、ＰＣを使用する。
【００２５】
ユーザＵ２１は、電話機２０１、ＰＣ２１１を使用し、ユーザＵ２２は、電話機２０２、ＰＣ２１２を使用し、つまり、各ユーザが、該当の電話機、ＰＣを使用する。
【００２６】
主装置１は、電話機同士の通話で使用される呼接続情報を記憶する呼接続情報データベース１１と、ユーザに関する情報を記憶するユーザ管理データベース１２と、呼の制御を行う呼制御部１３と、呼接続情報を管理する呼接続情報管理部１４と、電話機同士の通話とＰＣ同士の通信との連携を制御する連携制御部１５と、ユーザに関する情報を管理するユーザ管理部１６と、通話や通信においてメディアを送受信するメディア送受信部１７とを備える。
【００２７】
主装置２は、電話機同士の通話で使用される呼接続情報を記憶する呼接続情報データベース２１と、ユーザに関する情報を記憶するユーザ管理データベース２２と、呼の制御を行う呼制御部２３と、呼接続情報を管理する呼接続情報管理部２４と、電話機同士の通話とＰＣ同士の通信との連携を制御する連携制御部２５と、ユーザに関する情報を管理するユーザ管理部２６と、通話や通信においてメディアを送受信するメディア送受信部２７とを備える。
【００２８】
図示しないが、メディア送受信部１７、２７は、メディア転送に使用されるルーティングテーブルを備える。
【００２９】
図２は、呼接続情報データベース１１の構成図である。
【００３０】
呼接続情報データベース１１には、例えば、通話中の電話機１０１、２０１に関する情報、つまり、電話機１０１の内線番号「１００１」、内線側呼接続情報Ｋ１、外線側呼接続情報Ｋが対応づけて記憶される。内線側呼接続情報Ｋ１は、電話機１０１と主装置１で共有するものであり、外線側呼接続情報Ｋは、主装置１、２で共有するものである。通話中の電話機１０２などに関する情報も同様に記憶される。
【００３１】
図３は、ユーザ管理データベース１２の構成図である。
【００３２】
ユーザ管理データベース１２には、ユーザ管理部１６によって入力装置などから入力された情報が記憶される。ユーザ管理データベース１２には、電話機１０１の内線番号「１００１」とＰＣ１１１のＩＰアドレス「１９２．１６８．１．１７８」とが対応づけて記憶され、電話機１０２の内線番号「１００２」とＰＣ１１２のＩＰアドレス「１９２．１６８．１．２２」とが対応づけて記憶され、他の電話機の内線番号とＰＣのＩＰアドレスについても同様に記憶される。
【００３３】
図４は、呼接続情報データベース２１の構成図である。
【００３４】
呼接続情報データベース２１には、例えば、通話中の電話機２０１、１０１に関する情報、つまり、電話機２０１の内線番号「２００１」、内線側呼接続情報Ｋ２、外線側呼接続情報Ｋが対応づけて記憶される。内線側呼接続情報Ｋ２は、電話機２０１と主装置２で共有するものであり、外線側呼接続情報Ｋは、主装置１、２で共有するものである。通話中の電話機２０２などに関する情報も同様に記憶される。
【００３５】
図５は、ユーザ管理データベース２２の構成を示す図である。
【００３６】
ユーザ管理データベース２２には、ユーザ管理部２６によって入力装置などから入力された情報が記憶される。ユーザ管理データベース２２には、電話機２０１の内線番号「２００１」とＰＣ２１１のＩＰアドレス「１７２．１６．１．８２」とが対応づけて記憶され、電話機２０２の内線番号「２００２」とＰＣ２１２のＩＰアドレス「１７２．１６．１．２１１」とが対応づけて記憶され、他の電話機の内線番号とＰＣのＩＰアドレスについても同様に記憶される。
【００３７】
（本システムの動作）
図６、図７、図８、図９は、本システムに係る動作を示すシーケンス図である。
【００３８】
以下、電話機１０１、２０１による通話中に、ＰＣ１１１、２１１が文字などのメディアによるコミュニケーションを開始する場合のシーケンスを説明する。
【００３９】
電話機１０１、２０１によりユーザＵ１１、２１が通話中である状態においては、電話機１０１と呼制御部１３は、内線側呼接続情報Ｋ１を共有する（Ｓ１）。また、電話機２０１と呼制御部２３は、内線側呼接続情報Ｋ２を共有する（Ｓ３）。また、呼制御部１３、２３は、外線側呼接続情報Ｋを共有する（Ｓ５）。これらの呼接続情報が使用され、電話機１０１、２０１は、メディア送受信部１７、２７を介して、メディア（音声）を送受信する（Ｓ７）。
【００４０】
なお、呼制御部１３は、内線番号「１００１」、呼接続情報Ｋ１、Ｋを呼接続情報管理部１４に通知し（Ｓ１１）、呼接続情報管理部１４は、これらを対応づけて呼接続情報データベース１１に記憶させる（Ｓ１３）。
【００４１】
また、呼制御部２３は、内線番号「２００１」、呼接続情報Ｋ２、Ｋを呼接続情報管理部２４に通知し（Ｓ２１）、呼接続情報管理部２４は、これらを対応づけて呼接続情報データベース２１に記憶させる（Ｓ２３）。
【００４２】
さて、ユーザＵ１１、２１が文字などのメディアによるコミュニケーションを開始するにあたり、例えば、ユーザＵ１１がＰＣ１１１を操作すると、ＰＣ１１１の連携制御部Ａ２は連携制御部１５に接続要求を行い、予め設定された電話番号「１００１」を連携制御部１５に送信する（Ｓ１０１）。
【００４３】
連携制御部１５は、電話番号「１００１」に対応づけられた呼接続情報Ｋを呼接続情報データベース１１から読み出す（Ｓ１０３）。
【００４４】
連携制御部１５は、また、電話番号「１００１」に対応づけられたＩＰアドレス「１９２．１６８．１．１７８」をユーザ管理データベース１２から読み出す（Ｓ１０５）。
【００４５】
連携制御部１５は、呼制御部１３に呼の更新を要求し、呼接続情報Ｋ、ＩＰアドレス「１９２．１６８．１．１７８」を送信する（Ｓ１０７）。
【００４６】
呼制御部１３は、ＩＰアドレス「１９２．１６８．１．１７８」と主装置１のＷＡＮ（Ｗｉｄｅ  Ａｒｅａ  Ｎｅｔｗｏｒｋ）側ＩＰアドレスとを対応づけて、メディア送受信部１７のルーティングテーブルに記憶させる（Ｓ１０９）。
【００４７】
呼制御部１３は、呼制御部２３に呼の更新を要求し、主装置１のＷＡＮ側ＩＰアドレスと呼接続情報Ｋと文字などのメディアを送受信できる能力を示す情報とを送信する（Ｓ１１１）。
【００４８】
呼制御部２３は、呼の更新の要求を受信した旨を連携制御部２５に通知し、呼制御部２３は呼接続情報Ｋを連携制御部２５に送信する（Ｓ１１３）。
【００４９】
連携制御部２５は、呼接続情報Ｋに対応づけられた内線番号「２００１」を呼接続情報データベース２１から読み出す（Ｓ１１５）。
【００５０】
連携制御部２５は、内線番号「２００１」に対応づけられたＩＰアドレス「１７２．１６．１．８２」をユーザ管理データベース２２から読み出す（Ｓ１１７）。
【００５１】
連携制御部２５は、呼の更新を許可する旨を呼制御部２３に通知し、呼接続情報Ｋ、ＩＰアドレス「１７２．１６．１．８２」を送信する（Ｓ１１９）。
【００５２】
呼制御部２３は、ＩＰアドレス「１７２．１６．１．８２」と主装置２のＷＡＮ側ＩＰアドレスとを対応づけて、メディア送受信部２７のルーティングテーブルに記憶させる（Ｓ１２１）。
【００５３】
呼制御部２３は、呼制御部１３に呼の更新が完了した旨を通知し、主装置２のＷＡＮ側ＩＰアドレスと呼接続情報Ｋと文字などのメディアを送受信できる能力を示す情報とを送信する（Ｓ１２３）。
【００５４】
呼制御部１３は、呼の更新が完了した旨の通知に対する応答を呼制御部２３に送信する（Ｓ１２５）。
【００５５】
呼制御部１３は、呼の更新が完了した旨の通知を連携制御部１５に通知し、主装置２のＷＡＮ側ＩＰアドレスを送信する（Ｓ１２７）。
【００５６】
連携制御部１５は、主装置２のＷＡＮ側ＩＰアドレスをＰＣ１１１の連携制御部Ａ２に送信する（Ｓ１２９）。
【００５７】
ＰＣ１１１の連携制御部Ａ２は、ＰＣ１１１の非電話系コミュニケーション部Ａ１に開始を指示し、主装置２のＷＡＮ側ＩＰアドレスを送信する（Ｓ１３１）。
【００５８】
呼制御部２３は、呼の更新が完了した旨の通知を連携制御部２５に通知し、主装置１のＷＡＮ側ＩＰアドレスを送信する（Ｓ１４１）。
【００５９】
連携制御部２５は、主装置１のＷＡＮ側ＩＰアドレスをＰＣ２１１の連携制御部Ａ２に送信する（Ｓ１４３）。
【００６０】
ＰＣ２１１の連携制御部Ａ２は、ＰＣ２１１の非電話系コミュニケーション部Ａ１に開始を指示し、主装置１のＷＡＮ側ＩＰアドレスを送信する（Ｓ１４５）。
【００６１】
さて、ユーザＵ１１が文字などのメディアを送信するにあたりＰＣ１１１を操作すると、ＰＣ１１１の非電話系コミュニケーション部Ａ１は、文字などのメディアと主装置２のＷＡＮ側ＩＰアドレスをメディア送受信部１７に送信する（Ｓ１５１）。
【００６２】
メディア送受信部１７は、ＷＡＮ側ＩＰアドレスを有する主装置２のメディア送受信部２７にメディアを送信する（Ｓ１５３）。
【００６３】
メディア送受信部２７は、ルーティングテーブルにおいて主装置２のＷＡＮ側ＩＰアドレスに対応づけられたＩＰアドレス「１７２．１６．１．８２」に対応するＰＣ２１１の非電話系コミュニケーション部Ａ１にメディアを送信する（Ｓ１５５）。ＰＣ２１１の非電話系コミュニケーション部Ａ１は、メディアをＰＣ２１１の画面などに表示する。
【００６４】
さて、同様に、ユーザＵ２１が文字などのメディアを送信するにあたりＰＣ２１１を操作すると、ＰＣ２１１の非電話系コミュニケーション部Ａ１は、文字などのメディアと主装置１のＷＡＮ側ＩＰアドレスをメディア送受信部２７に送信する（Ｓ１６１）。
【００６５】
メディア送受信部２７は、ＷＡＮ側ＩＰアドレスを有する主装置１のメディア送受信部１７にメディアを送信する（Ｓ１６３）。
【００６６】
メディア送受信部１７は、ルーティングテーブルにおいて主装置１のＷＡＮ側ＩＰアドレスに対応づけられたＩＰアドレス「１９２．１６８．１．１７８」に対応するＰＣ１１１の非電話系コミュニケーション部Ａ１にメディアを送信する（Ｓ１６５）。ＰＣ１１１の非電話系コミュニケーション部Ａ１は、メディアをＰＣ１１１の画面などに表示する。
【００６７】
なお、上記説明では、ユーザＵ１１に使用されるＰＣ１１１が接続要求を行った（Ｓ１０１）が、ユーザＵ２１に使用されるＰＣ２１１が接続要求を行った場合には、ＰＣ１１１側、ＰＣ２１１側を入れ替えたシーケンスが行われる。
【００６８】
また、上記説明では、ユーザＵ１１、Ｕ２１間のコミュニケーションに関わる動作について言及したが、他のユーザ間のコミュニケーションについても同様に行われる。
【００６９】
また、上記説明では、非電話系コミュニケーションメディアの例として、文字を用いたが、非電話系コミュニケーションメディアは描画、映像などでもよい。
【００７０】
以上説明したように、本実施の形態の非電話系コミュニケーションメディア転送装置（主装置１、以下符号のみを記載）は、ユーザＵ１１に使用される電話系コミュニケーション端末（１０１）および非電話系コミュニケーション端末（１１１）に通信回線を介して接続され、かつ、ユーザＵ２１に使用される電話系コミュニケーション端末（２１１）および非電話系コミュニケーション端末（２１１）に通信回線を介して接続される非電話系コミュニケーションメディア転送装置（２）に対し、通信網Ｎを介して接続される非電話系コミュニケーションメディア転送装置（１）であって、一方の電話系コミュニケーション端末（１０１）の電話系コミュニケーション端末ＩＤ（内線番号「１００１」）と電話系コミュニケーション端末（１０１、２０１）同士で共有する呼接続情報Ｋとが対応づけて記憶される呼接続情報データベース１１と、一方の電話系コミュニケーション端末（１０１）の電話系コミュニケーション端末ＩＤ（「１００１」）と一方の非電話系コミュニケーション端末（１１１）の非電話系コミュニケーション端末ＩＤ（ＩＰアドレス「１９２．１６８．１．１７８」）とが対応づけて記憶されるユーザ管理データベース１２と、一方の非電話系コミュニケーション端末（１１１）から送信される一方の電話系コミュニケーション端末（１０１）の電話系コミュニケーション端末ＩＤ（「１００１」）に対応づけられた呼接続情報Ｋを呼接続情報データベース１１から読み出し、当該電話系コミュニケーション端末ＩＤ（「１００１」）に対応づけられた非電話系コミュニケーション端末ＩＤ（「１９２．１６８．１．１７８」）をユーザ管理データベース１２から読み出し、一方、他方の非電話系コミュニケーションメディア転送装置（２）から送信される呼接続情報Ｋに対応づけられた電話系コミュニケーション端末ＩＤ（「１００１」）を呼接続情報データベース１１から読み出し、当該電話系コミュニケーション端末ＩＤ（「１００１」）に対応づけられた非電話系コミュニケーション端末ＩＤ（「１９２．１６８．１．１７８」）をユーザ管理データベース１２から読み出す連携制御部１５と、読み出された呼接続情報Ｋを他方の非電話系コミュニケーションメディア転送装置（２）に送信する呼制御部１３と、読み出された非電話系コミュニケーション端末ＩＤ（「１９２．１６８．１．１７８」）を記憶し、他方の非電話系コミュニケーションメディア転送装置（２）から送信されたメディアを当該非電話系コミュニケーション端末ＩＤ（「１９２．１６８．１．１７８」）の非電話系コミュニケーション端末（１１１）に送信し、一方、当該非電話系コミュニケーション端末（１１１）から送信されたメディアを他方の非電話系コミュニケーションメディア転送装置（２）に送信するメディア送受信部１７とを備えることで、通話相手の非電話系コミュニケーションツールに対応する識別情報（ＩＰアドレス「１７２．１６．１．８２」）を特定する手間が解消でき、また、自身の非電話系コミュニケーションツールに対応する識別情報（「１９２．１６８．１．１７８」）というプライベート情報を外部に保存せず、よって、プライバシーを確保でき、外部にサーバを設置する必要がなく、非電話系コミュニケーションツールを特定する際には相手の発番号を利用せず、呼接続情報Ｋを利用するので、電話回線を複数人で共用することが多い環境にも適用できる。
【００７１】
また、本実施の形態の非電話系コミュニケーションメディア転送方法は、ユーザＵ１１に使用される電話系コミュニケーション端末（１０１）および非電話系コミュニケーション端末（１１１）に通信回線を介して接続された非電話系コミュニケーションメディア転送装置（１）と、ユーザＵ２１に使用される電話系コミュニケーション端末（２０１）および非電話系コミュニケーション端末（２１１）に通信回線を介して接続される非電話系コミュニケーションメディア転送装置（２）とが、通信網Ｎを介して接続されている状態で実行される非電話系コミュニケーションメディア転送方法であって、一方の非電話系コミュニケーションメディア転送装置（１）は、一方の電話系コミュニケーション端末（１０１）の電話系コミュニケーション端末ＩＤ（「１００１」）と電話系コミュニケーション端末（１０１、２０１）同士で共有する呼接続情報Ｋとが対応づけて記憶される呼接続情報データベース１１と、一方の電話系コミュニケーション端末（１０１）の電話系コミュニケーション端末ＩＤ（「１００１」）と一方の非電話系コミュニケーション端末（１１１）の非電話系コミュニケーション端末ＩＤ（ＩＰアドレス「１９２．１６８．１．１７８」）とが対応づけて記憶されるユーザ管理データベース１２とを備え、他方の非電話系コミュニケーションメディア転送装置（２）は、他方の電話系コミュニケーション端末（２０１）の電話系コミュニケーション端末ＩＤ（内線番号「２００１」）と電話系コミュニケーション端末同士で共有する呼接続情報Ｋとが対応づけて記憶される呼接続情報データベース２１と、他方の電話系コミュニケーション端末（２０１）の電話系コミュニケーション端末ＩＤ（内線番号「２００１」）と他方の非電話系コミュニケーション端末（２１１）の非電話系コミュニケーション端末ＩＤ（ＩＰアドレス「１７２．１６．１．８２」）とが対応づけて記憶されるユーザ管理データベース２２とを備え、非電話系コミュニケーションメディア転送方法は、一方の非電話系コミュニケーションメディア転送装置（１）の連携制御部（１５）が、一方の非電話系コミュニケーション端末（１１１）から送信される一方の電話系コミュニケーション端末（１０１）の電話系コミュニケーション端末ＩＤ（「１００１」）に対応づけられた呼接続情報Ｋを呼接続情報データベース１１から読み出し、当該電話系コミュニケーション端末ＩＤ（「１００１」）に対応づけられた非電話系コミュニケーション端末ＩＤ（ＩＰアドレス「１９２．１６８．１．１７８」）をユーザ管理データベース１２から読み出す工程（Ｓ１０３、Ｓ１０５）と、一方の非電話系コミュニケーションメディア転送装置（１）の呼制御部（１３）が、読み出された呼接続情報Ｋを他方の非電話系コミュニケーションメディア転送装置（２）に送信する工程（Ｓ１１１）と、一方の非電話系コミュニケーションメディア転送装置（１）のメディア送受信部（１７）が、読み出された非電話系コミュニケーション端末ＩＤ（「１９２．１６８．１．１７８」）を記憶する工程（Ｓ１０９）と、他方の非電話系コミュニケーションメディア転送装置（２）の連携制御部（２５）が、送信された呼接続情報Ｋに対応づけられた電話系コミュニケーション端末ＩＤ（内線番号「２００１」）を呼接続情報データベース２１から読み出し、当該電話系コミュニケーション端末ＩＤ（内線番号「２００１」）に対応づけられた非電話系コミュニケーション端末ＩＤ（「１７２．１６．１．８２」）をユーザ管理データベース２２から読み出す工程（Ｓ１１５、Ｓ１１７）と、他方の非電話系コミュニケーションメディア転送装置（２）のメディア送受信部（２７）が、読み出された非電話系コミュニケーション端末ＩＤ（「１７２．１６．１．８２」）を記憶する工程（Ｓ１２１）と、一方の非電話系コミュニケーションメディア転送装置（１）のメディア送受信部（１７）が、一方の非電話系コミュニケーション端末（１１１）から送信されたメディアを他方の非電話系コミュニケーションメディア転送装置（２）に送信する工程（Ｓ１５３）と、他方の非電話系コミュニケーションメディア転送装置（２）のメディア送受信部（２７）が、当該メディアを当該メディア送受信部（２７）に記憶した非電話系コミュニケーション端末ＩＤ（「１７２．１６．１．８２」）の非電話系コミュニケーション端末（２１１）に送信する工程（Ｓ１５５）と、他方の非電話系コミュニケーションメディア転送装置（２）のメディア送受信部（２７）が、他方の非電話系コミュニケーション端末（２１１）から送信されたメディアを一方の非電話系コミュニケーションメディア転送装置（１）に送信する工程（Ｓ１６１）と、一方の非電話系コミュニケーションメディア転送装置（１）のメディア送受信部（１７）が、当該メディアを当該メディア送受信部（１７）に記憶した非電話系コミュニケーション端末ＩＤ（「１９２．１６８．１．１７８」）の非電話系コミュニケーション端末（１１１）に送信する工程（Ｓ１６５）とを備えることで、上記効果が得られる。
【００７２】
なお、本実施の形態に係る非電話系コミュニケーションメディア転送装置としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００７３】
１、２…主装置
１１、２１…呼接続情報データベース
１２、２２…ユーザ管理データベース
１３、２３…呼制御部
１４、２４…呼接続情報管理部
１５、２５…連携制御部
１６、２６…ユーザ管理部
１７、２７…メディア送受信部
１０１、２０１、１０２、２０２…電話機
１１１、２１１、１１２、２１２…ＰＣ
【図１】
0005400739.tif 000002
【図２】
0005400739.tif 000003
【図３】
0005400739.tif 000004
【図４】
0005400739.tif 000005
【図５】
0005400739.tif 000006
【図６】
0005400739.tif 000007
【図７】
0005400739.tif 000008
【図８】
0005400739.tif 000009
【図９】
0005400739.tif 000010